(57)【要約】【課題】断熱材の表側に形成される通気層において横方向にも通気を確保できる外張断熱壁を提供する。【解決手段】この外張断熱壁では、スペーサー２と係止金具３とビス４とを備えるラス網止め具１を用いる。上記ビス４によって上記スペーサー２に上記係止金具３が連結される。上記係止金具３の内側部３ａは、ラス網５４の網目箇所から当該ラス網５４の紙部を破って当該ラス網５４の内側に配置される。上記係止金具３の外側部３ｂは、上記ラス網５４の外側に位置する。すなわち、上記係止金具３は、上記内側部３ａと外側部３ｂとによって上記ラス網５４を挟み込むようにセットされる。そして、上記スペーサー２に差し込まれた上記ビス４が上記柱５１にねじ込まれ、上記係止金具３の内側部３ａと外側部３ｂとが近接して上記ラス網５４が圧接固定される。【選択図】図２
2014066092.tif 000002
【特許請求の範囲】
【請求項１】
柱の外面側に断熱材が配置される外張断熱壁において、上記柱の位置の上記断熱材にパイプ状のスペーサーが入れられ、当該スペーサーの奥端が上記柱に当てられ且つ当該スペーサーの手前端が上記断熱材から出ており、上記スペーサーおよび当該スペーサーの上記手前端に設けられた係止具がビス又は釘によって上記柱に固定されており、上記係止具によってラス網が係止されていることを特徴とする外張断熱壁。
【請求項２】
請求項１に記載の外張断熱壁において、上記断熱材の表側には防水シートが設けられており、上記スペーサーには上記防水シートと接触する箇所に止水材が設けられていることを特徴とする外張断熱壁。
【請求項３】
請求項１または請求項２に記載の外張断熱壁において、上記柱間であって上記断熱材と上記ラス網との間に補助スペーサーが設けられており、上記補助スペーサーには横方向の通気を可能にする貫通穴が形成されていることを特徴とする外張断熱壁。
【請求項４】
請求項１〜請求項３のいずれか１項に記載の外張断熱壁において、上記ラス網の背面側の紙部が上記係止具の一部によって受け止められることを特徴とする外張断熱壁。
【発明の詳細な説明】
【技術分野】
【０００１】
この発明は、ラス網を支持するためのラス網止め具を用いた湿式の外張断熱壁に関する。
【背景技術】
【０００２】
図２１は、胴縁１０１を用いた湿式の外張断熱壁１００の内部構造を示した説明図である。柱１０２の内壁側の面に石膏ボード１０３が配置されており、上記柱１０２の外壁側の面に断熱材１０４が配置されている。上記石膏ボード１０３と上記断熱材１０４との間に空気層１０５が形成され、この空気層１０５によって外壁の断熱効果が高められる。上記断熱材１０４の外側面には胴縁１０１が設けられている。そして、上記胴縁１０１の外側面にラス網１０６が取り付けられており、このラス網１０６の裏面側（紙部側）に上記胴縁１０１の厚さの奥行き幅で通気層１０７が形成されている。さらに、上記ラス網１０６の表面側にモルタル１０８が塗布され、このモルタル１０８上に仕上げ材１０９が取り付けられる。
【０００３】
上記胴縁１０１を用いた上記外壁構造では、上記通気層１０７において縦方向の通気は確保できるが横方向に通気を行うことはできない。
【０００４】
特許文献１には、上記胴縁１０１を用いないことで横方向の通気を確保する外壁構造に用いるラス網取付金具が開示されている。この外壁構造では、下地板上に、多数の窪み部を有する通気型枠シートが配置される。そして、上記ラス網取付金具は上記窪み部に嵌められた状態でステープルによって上記下地板に固定される。さらに、上記通気型枠シート上にラス網が配置される。上記ラス網は上記ラス網取付金具に形成されているフック部に係止される。
【先行技術文献】
【特許文献】
【０００５】
【特許文献１】特開２０１１−１３７３２４号公報
【発明の概要】
【発明が解決しようとする課題】
【０００６】
しかしながら、上記特許文献１に開示された外壁構造は、横方向にも通気を確保できるものの、外張断熱壁を構築できてはいない。
【０００７】
この発明は、上記の事情に鑑み、断熱材の表側に形成される通気層において横方向にも通気を確保できる湿式の外張断熱壁を提供することを課題とする。
【課題を解決するための手段】
【０００８】
この発明の外張断熱壁は、上記の課題を解決するために、柱の外面側に断熱材が配置される外張断熱壁において、上記柱の位置の上記断熱材にパイプ状のスペーサーが入れられ、当該スペーサーの奥端が上記柱に当てられ且つ当該スペーサーの手前端が上記断熱材から出ており、上記スペーサーおよび当該スペーサーの上記手前端に設けられた係止具がビス又は釘によって上記柱に固定されており、上記係止具によってラス網が係止されていることを特徴とする。
【０００９】
上記の構成であれば、上記スペーサーの手前端に位置する上記係止具は、上記手前端が上記断熱材から出ている分、上記断熱材から離間して固定されるので、上記断熱材とラス網との間に通気層を形成することになる。上記スペーサーおよび係止具は上記柱の縦方向に間隔をおいて点在して設ければよいので、上記通気層において横方向にも通気を確保することができる。なお、柱には間柱が含まれる。
【００１０】
上記断熱材の表側には防水シートが設けられており、上記スペーサーには上記防水シートと接触する箇所に止水材が設けられていてもよい。これによれば、上記断熱材に差し込まれた上記スペーサーの外周面と上記断熱材と間から結露水などがしみ込んでいくのを防止することができる。
【００１１】
上記柱間であって上記断熱材と上記ラス網との間に補助スペーサーが設けられており、上記補助スペーサーには横方向の通気を可能にする貫通穴が形成されていてもよい。
【００１２】
上記ラス網の背面側の紙部が上記係止具の一部によって受け止められるようにしてもよい。これによれば、上記ラス網にモルタルを塗るときに、このモルタルで上記紙部が後方へ押しやられようとするのを低減することができる。
【発明の効果】
【００１３】
本発明の外張断熱壁であれば、断熱材の表側に形成される通気層において横方向にも通気を確保できるという効果を奏する。
【図面の簡単な説明】
【００１４】
【図１】本発明の外張断熱壁で用いるラス網止め具を示した説明図である。
【図２】図１のラス網止め具を用いたこの発明の実施形態の外張断熱壁を示した説明図である。
【図３】同図（Ａ）は図１のラス網止め具のスペーサーを示した平面図であり、同図（Ｂ）は上記ラス網止め具の係止金具を示した斜視図であり、同図（Ｃ）は上記ラス網止め具のビスを示した斜視図である。
【図４】同図（Ａ）（Ｂ）は図１のラス網止め具の取り付けを示した説明図である。
【図５】同図（Ａ）（Ｂ）は図１のラス網止め具の取り付けを示した説明図である。
【図６】同図（Ａ）（Ｂ）は図１のラス網止め具の取り付けを示した説明図である。
【図７】同図（Ａ）（Ｂ）は図１のラス網止め具の取り付けを示した説明図である。
【図８】本発明の外張断熱壁で用いることができる係止金具の他の例を示した斜視図である。
【図９】本発明の外張断熱壁で用いることができる係止金具の他の例を示した斜視図である。
【図１０】本発明の外張断熱壁で用いることができる係止金具の他の例を示した斜視図である。
【図１１】図９のラス網止め具の取り付けを示した説明図である。
【図１２】本発明の外張断熱壁で用いることができる係止金具の他の例を示した斜視図である。
【図１３】図１２のラス網止め具の取り付けを示した説明図である。
【図１４】本発明の外張断熱壁で用いることができる係止金具の他の例を示した図であり、同図（Ｂ）は平面図、同図（Ａ）は同Ｂ−Ｂ断面、同図（Ｃ）は同Ａ−Ａ断面図である。
【図１５】図１４のラス網止め具の取り付けを示した説明図である。
【図１６】本発明の外張断熱壁で用いることができる係止金具の他の例を示した斜視図である。
【図１７】図１６の係止金具の分解図である。
【図１８】図１６のラス網止め具の取り付けを示した説明図である。
【図１９】本発明の外張断熱壁で用いることができるラス網止め具の取り付けを示した説明図である。
【図２０】図１のラス網止め具を用いたこの発明の実施形態の外張断熱壁を示した説明図である。
【図２１】従来の胴縁を用いた外張断熱壁を示した説明図である。
【発明を実施するための形態】
【００１５】
以下、この発明の実施の形態を添付図面に基づいて説明する。
図１に示すように、この発明の実施形態に係る外張断熱壁に用いるラス網止め具１は、所定の長さを有した例えば円筒形状のパイプからなるスペーサー２と、上記スペーサー２の一端側に位置する係止金具３と、上記係止金具３および上記スペーサー２を貫通するように設けられるビス４と、を備える。
【００１６】
図２および図２０は、上記ラス網止め具１を用いた外張断熱壁５を示している。なお、図２０では、上記ラス網止め具１とラス網５４との係合状態の図示は省略している。上記外張断熱壁５における柱５１の外側の面には、厚さが例えば３０ｍｍ程度の断熱材５２が配置されている。上記断熱材５２の外側面には遮熱透湿防水シートが貼り付けられている。上記断熱材５２と上記柱５１の裏面に配置される石膏ボード５０との間に空気層５８が形成される。上記断熱材５２の外側面上（遮熱透湿防水シート上）であって上記柱５１の正面から外れた位置（柱間、間柱間）に断面Ｈ形の補助スペーサー５３がその長手方向を縦にして配置されている。この補助スペーサー５３はその一方のフランジ部に設けられた両面粘着テープなどによって上記断熱材５２に接着される。上記補助スペーサー５３のウェブ部には貫通穴５３ａが多数形成されており、当該補助スペーサー５３を上記のように配置しても上記断熱材５２の外側面上に形成された通気層５９において横方向にも通気が確保される。上記補助スペーサー５３は例えば高さが１５ｍｍ程度、幅が１４ｍｍ程度、長さは短いもので５０ｍｍ程度とされる。上記補助スペーサー５３の表側にラス網５４が配置される。
【００１７】
上記スペーサー２の長さは、上記断熱材５２の厚さ寸法に上記補助スペーサー５３の高さを加えた長さ程度とされる。上記スペーサー２は、上記ラス網５４の力受けとなる例えば力骨５４ａの少し下側に打ち込まれ、当該ラス網５４の紙部を破り、上記断熱材５２を貫通して上記柱５１に達するように設けられている。上記スペーサー２の本体部２ａの外周にはリング状の止水材２ｄが設けられている。この止水材２ｄは上記断熱材５２の外側面（遮熱透湿防水シート）と接触するように、上記断熱材５２の厚みを考慮した位置に巻かれている。
【００１８】
上記ビス４によって上記スペーサー２に上記係止金具３が連結されている。上記係止金具３の内側部３ａは、上記力骨５４ａの少し下側において上記ラス網５４の網目箇所から当該ラス網５４の紙部を破って当該ラス網５４の内側（裏側）に配置されている。上記係止金具３の外側部３ｂは、上記ラス網５４の外側（表側）に位置している。すなわち、上記係止金具３は、上記内側部３ａと外側部３ｂとによって上記ラス網５４および上記力骨５４ａを挟み込むようにセットされている。そして、上記スペーサー２に差し込まれた上記ビス４が上記柱５１にねじ込まれている。このねじ込みによって、上記係止金具３の内側部３ａと外側部３ｂとが近接して上記ラス網５４が圧接固定され、上記ラス網５４が上記ラス網止め具１を介して上記柱５１に固定されている。上記ラス網止め具１は柱の縦方向に所定間隔で複数設けられる。
【００１９】
上記ラス網５４にはモルタル５５が塗布されている。このモルタル５５の塗布によって上記ラス網５４の紙部は後方へ押しやられようとするが、上記補助スペーサー５３が設けられているので、上記紙部の後方移動は制限される。同様に、上記ラス網止め具１が設けられた箇所においても、上記係止金具３の内側部３ａは上記紙部を破って当該ラス網５４の内側に位置しているので、上記紙部の後方移動は制限される。上塗りモルタル５５上には仕上げ材５６が設けられている。
【００２０】
図３（Ａ）、（Ｂ）、（Ｃ）は、上記スペーサー２と、上記係止金具３と、上記ビス４をそれぞれ拡大して示している。上記スペーサー２は樹脂（ポリアセタールなど）からなる。上記スペーサー２の本体部２ａの奥端には厚肉のリブ部２ｂが形成されており、手前端には厚肉のリブ部２ｃが形成されている。また、上記スペーサー２の本体部２ａの周囲に巻かれる上記止水材２ｄとしては、例えば独立発泡型の発泡材からなる止水テープが用いられる。また、上記止水材２ｄは、上記リブ部２ｂ、２ｃの形成箇所の外径と等しい外径を形成するような厚さ（例えば１ｍｍ程度）を有する。なお、上記本体部２ａの厚さを厚くすることによって上記リブ部の形成を省略し得る。また、上記スペーサー２を金属で形成してもよく、この場合にもリブ部を省略し得る。また、上記スペーサー２は角筒状でもよい。上記止水材２ｄを配置する位置にリブを形成しておいてもよく、その場合に上記リブが上記止水材２ｄを配置する位置の目安になる。他のリブの凸量と上記止水材２ｄを配置したリブの上記止水材２ｄを含む凸量とを同じにしておくのがよい。
【００２１】
上記係止金具３の内側部３ａの先端は、上記ラス網５４の紙部を破りやすいように、先鋭に形成されている。上記係止金具３の内側部３ａは、上記外側部３ｂよりも長く形成されている。上記係止金具３の内側部３ａの先端側は、上記外側部３ｂに近づく方向に折り曲げられており、上記係止金具３の内側部３ａと外側部３ｂとが近接して上記ラス網５４を圧接固定する時に、上記ラス網５４の紙部を裏面から受け止めるようになっている。一方、上記内側部３ａの先鋭とされる部位は上記紙部から遠のく方向に曲げられており、上記係止金具３の内側部３ａと外側部３ｂとが近接して上記ラス網５４を圧接固定する時に、上記先鋭とされる部位が上記紙部を破かないようになっている。
【００２２】
上記係止金具３の上記外側部３ｂは平坦形状を有する。また、上記内側部３ａと外側部３ｂとは繋ぎ部位３ｃによって一体的に繋がれている。この繋ぎ部位３ｃは折り返しによる湾曲形状を有し湾曲面が上記外側部３ｂより外側に出ないようになっている。また、上記繋ぎ部位３ｃには、上記ビス４の横からの係合を可能にするカット部３ｄが形成されている。
【００２３】
上記ビス４は例えば９０ｍｍの長さを有する。また、上記ビス４の頭部は例えばなべ頭とされる。
【００２４】
図４（Ａ）および図４（Ｂ）に示すように、上記係止金具３の上記内側部３ａを上記ラス網５４の紙部を破って裏側に挿入する。そして、上記係止金具３の内側部３ａと外側部３ｂとの間に力骨５４ａを位置させる。上記係止金具３が装着される箇所には柱５１が位置している。
【００２５】
図５（Ａ）および図５（Ｂ）に示すように、上記係止金具３を少し押し上げて、上記繋ぎ部位３ｃのあたりに上記力骨５４ａを位置させる。そして、上記係止金具３の下方位置に上記スペーサー２をセットし、このスペーサー２内に上記ビス４を差し込む。
【００２６】
図６（Ａ）および図６（Ｂ）に示すように、上記ビス４を電動ドライバー６０で回し、上記スペーサー２を押し込んでその奥端を上記柱５１に当てる。そして、上記電動ドライバー６０を逆回転させて上記ビス４の頭部を１５ｍｍ程度浮かせる。
【００２７】
図７（Ａ）および図７（Ｂ）に示すように、上記ビス４の浮き上がった頭部の下に上記係止金具３のカット部３ｄを用いて上記繋ぎ部位３ｃの箇所に上記ビス４を横からスライドさせて係合させる。このとき、上記外側部３ｂの先端と上記力骨５４ａとの距離が５ｍｍ以上確保されるようにする。この状態を維持確保しながら、上記電動ドライバー６０によって上記ビス４を本締めする。
【００２８】
このように、ラス網止め具１は、上記パイプ状のスペーサー２と、上記スペーサー２の一端側に位置し、ラス網５４を挟む内側部３ａと外側部３ｂとを有する係止金具３と、上記係止金具３および上記スペーサー２を貫通するように設けられるビス４と、を備えている。上記スペーサー２の長さを上記柱５１の外側に配置する上記断熱材５２の厚みよりも長くしておくことにより、このスペーサー２を上記断熱材５２に突き刺して当該スペーサー２の奥端を上記柱５１に当てた状態において、手前端となる一端側を上記断熱材５２から突き出させることができる。また、上記係止金具３および上記スペーサー２を貫通する上記ビス４を上記柱５１に固定することで、上記スペーサー２の一端側に位置する上記係止金具３は上記断熱材５２から離間して固定され、上記断熱材５２とラス網５４との間に通気層５９を形成することになる。上記ラス網止め具１は上記柱５１の縦方向に間隔をおいて点在して設ければよいので、上記通気層５９において横方向にも通気を確保できる。
【００２９】
上記ラス網止め具１においては、上記スペーサー２の周囲にリング状の止水材２ｄが設けられているので、上記断熱材５２に差し込まれた上記スペーサー２の外周面と上記断熱材５２（遮熱透湿防水シート）と間から結露水などがしみ込んでいくのを防止することができる。
【００３０】
上記ラス網止め具１においては、上記内側部３ａと外側部３ｂとが上記繋ぎ部位３ｃにより繋がれており、上記ビス４の締め込みによって上記内側部３ａと外側部３ｂとが近接して上記ラス網５４を圧接固定するので、上記ラス網５４の動きを制限して適切にモルタル塗り等が行えることになる。
【００３１】
上記ラス網止め具１においては、上記ビス４の横からの係合のためのカット部３ｄが形成されているので、上記スペーサー２と上記係止金具３と上記ビス４の装着手順の自由度が向上するとともに、上記スペーサー２と上記係止金具４との位置合わせにおいて厳密さは要求されない利点が得られる。
【００３２】
上記ラス網止め具１においては、上記係止金具３の外側部３ｂは平坦形状を有しているので、上記ビス４で締め付けた状態において、上記係止金具３の外側部３ｂがラス網５４の表側で飛び出す程度が軽減され、適切にモルタル塗り等が行えることになる。
【００３３】
上記ラス網止め具１においては、上記繋ぎ部位３ｃは折り返しによる湾曲形状を有し、湾曲面が上記外側部３ｂより外側に出ないようにしているので、上記ビス４で締め付けた状態において、上記係止金具３の繋ぎ部位３ｃがラス網５４の表側で飛び出す程度が軽減され、適切にモルタル塗り等が行えることになる。
【００３４】
また、上記ラス網止め具１による上記ラス網５４の係止固定においては、胴縁等に対するラス網の直付けとはならず、上記柱５１から上記スペーサー２の長さ分、距離をおいた位置でモルタル壁をフレキシブルに支持することになり、このモルタル壁の移動が許容される。これにより、地震等によってモルタル壁にひび割れが入るのを低減することができる。また、外壁構築の手順としては、上記断熱材５２の配置の後に胴縁を配置していくのではなく、上記断熱材５２の配置の後にラス網５４を仮止めして上記ラス網止め具１を装着していく手順となり、作業が簡単迅速に行えるようになる。また、上記スペーサー２の長さを変えて通気層５９の厚みを調整できる。
【００３５】
図８に示された係止金具３１は、外側部３ｂが平坦でない形状を有しており、また、湾曲する繋ぎ部位３ｃは、湾曲面が外側部３ｂより外側に出てしまうようになっている。このような係止金具３１を用いた場合でも、上記ビス４の締め込みによって上記内側部３ａと外側部３ｂとが近接して上記ラス網５４を圧接固定できるので、上記ラス網５４の移動を制限して適切にモルタル塗り等が行えることになる。また、上記ビス４の横からの係合のためのカット部３ｄが形成されているので、上記スペーサー２と上記係止金具３と上記ビス４の装着手順の自由度が向上する。
【００３６】
図９に示された係止金具３２は、内側部３ａと外側部３ｂとが繋がれており、上記内側部３ａと外側部３ｂとの間の部分で上記ラス網５４を下から受けて支持することができる。上記係止金具３２は、上記ラス網５４の紙部を突き刺せるようにはなっていない。また、カット部３ｄは有さず、ビス挿通穴３ｅを有している。
【００３７】
図１０に示された係止金具３３は、内側部３ａと外側部３ｂとが繋がれており、上記内側部３ａと外側部３ｂとの間の部分で上記ラス網５４を下から受けて支持することができる。上記係止金具３３は、上記ラス網５４の紙部を突き刺せるようにはなっていない。また、カット部３ｄは有さず、ビス挿通穴３ｅを有している。
【００３８】
上記係止金具３２、３３を用いた場合でも、図１１に示すように、上記スペーサー２と上記ビス４との組み合わせで上記ラス網５４を支持することができる。そして、上記係止金具３２を用いたラス網止め具１についても点在して設けることができので、上記通気層５９において横方向にも通気を確保することができる。
【００３９】
図１２および図１３に示された係止金具３４は、内側部３ａと外側部３ｂとが繋がれており、折り曲げにより上記内側部３ａと外側部３ｂとが上記ラス網５４を挟んで対向するようになっている。上記係止金具３４にはビス挿通穴３ｅおよび長穴３ｆが形成されており、上記の折り曲げにより、上記外側部３ｂ上の上記長穴３ｆがビス挿通穴３ｅに重なり、この状態で上記ビス４を挿通することができる。上記係止金具３４を用いた場合でも、上記スペーサー２と上記ビス４との組み合わせで上記ラス網５４を結束して支持することができる。そして、上記係止金具３４を用いたラス網止め具１についても点在して設けることができので、上記通気層５９において横方向にも通気を確保することができる。
【００４０】
図１４に示された係止金具３５は、内側部３ａと外側部３ｂとが繋がれており、上記内側部３ａと外側部３ｂとの間の部分で上記ラス網５４を下から受けて支持することができる。上記係止金具３５は、上記ラス網５４の紙部を突き刺せるようにはなっていない。また、カット部３ｄは有さず、ビス挿通穴３ｅを有している。さらに、上記係止金具３５は、内側部３ａを２片、外側部３ｂを２片有する。
【００４１】
上記係止金具３５を用いた場合でも、図１５に示すように、上記スペーサー２と上記ビス４との組み合わせで上記ラス網５４を支持することができる。そして、上記係止金具３５を用いたラス網止め具１についても点在して設けることができので、上記通気層５９において横方向にも通気を確保することができる。
【００４２】
図１６および図１７に示された係止金具３６は、内側部３ａと外側部３ｂとが分離されており、上記内側部３ａが上記スペーサー２の一端側に固定されている。上記内側部３ａと外側部３ｂは円形を有しており、上記内側部３ａよりも外側部３ｂの方が大きくされている。また、上記分離された上記外側部３ｂの周囲の例えば２カ所に鉤爪３ｇが形成されている。上記鉤爪３ｇは上記内側部３ａの側に突出し、さらに接線方向に９０°折れ曲がって形成されている。
【００４３】
上記係止金具３６を用いた場合でも、図１８に示すように、上記スペーサー２と上記ビス４との組み合わせで上記ラス網５４を支持することができる。そして、上記係止金具３６を用いたラス網止め具１についても点在して設けることができので、上記通気層５９において横方向にも通気を確保することができる。
【００４４】
図１９に示された係止金具３７は、上記係止金具３６と同様、内側部３ａと外側部３ｂとが分離されたものであるが、外側部３ｂが四角形状を有しており、大きな鉤爪３ｇを有している。
【００４５】
なお、上記係止金具３１〜３７に用いられるスペーサー２においても、止水材２ｄが設けられたものを用いることができる。また、ビス４に代えて釘を用いることも可能である。
【００４６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４７】
１      ラス網止め具
２      スペーサー
２ｄ    止水材２ｄ
３      係止金具
３ａ    内側部
３ｂ    外側部
３ｃ    繋ぎ部位
３ｄ    カット部
３１〜３７  係止金具
４      ビス
５      外張断熱壁
５０    石膏ボード
５１    柱
５２    断熱材
５３    補助スペーサ
５４    ラス網
５４ａ  力骨
５５    モルタル
【図１】
2014066092.tif 000003
【図２】
2014066092.tif 000004
【図３】
2014066092.tif 000005
【図４】
2014066092.tif 000006
【図５】
2014066092.tif 000007
【図６】
2014066092.tif 000008
【図７】
2014066092.tif 000009
【図８】
2014066092.tif 000010
【図９】
2014066092.tif 000011
【図１０】
2014066092.tif 000012
【図１１】
2014066092.tif 000013
【図１２】
2014066092.tif 000014
【図１３】
2014066092.tif 000015
【図１４】
2014066092.tif 000016
【図１５】
2014066092.tif 000017
【図１６】
2014066092.tif 000018
【図１７】
2014066092.tif 000019
【図１８】
2014066092.tif 000020
【図１９】
2014066092.tif 000021
【図２０】
2014066092.tif 000022
【図２１】
2014066092.tif 000023